(57)【特許請求の範囲】
【請求項１】
アンテナ（４）により送受信される放送メッセージを送受信することができる電話装置（３）を収容するケース（２）を備えた腕時計（１）であって、前記アンテナ（４）は、少なくとも部分的にリストバンド（６）に沿って延び前記リストバンド（６）と一体になる第１の位置と、前記リストバンド（６）から動いて離され前記リストバンド（６）の装着時に前記リストバンド（６）により形成される円を含む平面内で直立して立つ第２の位置の少なくとも２つの位置に置くことができ、一方の端部（７）が前記ケース（２）の前記リストバンド（６）の起点位置（８）の上方に位置する接合手段によって前記ケース（２）に取り付けられた舌状部材（５）に組み込まれ、
前記接合手段が前記ケース（２）に設けられたホーン（１７、１８、１９、２０）と前記舌状部材（５）の前記端部（７）のヒンジ（２１、２２、２３）の両方に１列に並ぶように形成された孔（１０、１１、１２、１３、１４、１５、１６）を貫通する棒（９）を備え、
前記電話装置（３）が当該電話装置（３）に接続された第１のストリップ（２４）と前記アンテナ（４）に接続された第２のストリップ（２５）とによって前記アンテナ（４）に接続されており、前記第１及び第２のストリップ（２４、２５）は、前記棒（９）の軸線（２６）と垂直な平面において互いに向き合い、互いに対して回転接触の状態にあることを特徴とする腕時計。
【請求項２】
前記舌状部材（５）は、それが前記第１の位置にある時、重なる位置において前記舌状部材（５）の厚さと実質的に同等な量だけ薄くされた厚さを持つ前記リストバンド（６）の上に重なるように配置されることを特徴とする請求項１に記載の腕時計。
【請求項３】
前記第１のストリップ（２４）は、前記ケース（２）のホーン（１９）に沿って延び、前記第２のストリップ（２５）は、前記ホーン（１９）および前記ヒンジ（２２）が互いに対して回転し合う場所で前記舌状部材（５）の前記ヒンジ（２２）に沿って延びることを特徴とする請求項１に記載の腕時計。
【請求項４】
前記接合手段は、前記舌状部材（５）が前記第１または第２の位置に保持されることを可能にする留め金固定装置（２７、２８、２９）を備えていることを特徴とする請求項１に記載の腕時計。
【請求項５】
前記舌状部材（５）は、前記リストバンド（６）に配置される凹部（３１）と協働する植込ボルト（３０）を備えていることを特徴とする請求項１に記載の腕時計。
【請求項６】
前記リストバンド（６）は、前記舌状部材（５）が前記第１または第２の位置のどちらに位置しているかによって、前記電話装置（３）を各々待機状態から通信状態に切り替えることを可能にする装置（３２、３３）を備えていることを特徴とする請求項１に記載の腕時計。
【発明の詳細な説明】
【０００１】
【発明の属する技術分野】
本発明は、アンテナにより送受信した放送メッセージを送受信できる電話装置を内蔵する腕時計に関する。
【０００２】
【従来技術】
高周波電磁信号を送受信可能にする電話装置と腕時計との一体化は数多く提案されている。無線周波通信システム、特に携帯電話システムの継続する発展により小型かつ軽量な携帯機器への需要が高まっている。小型の電子回路や無線周波回路の開発および高性能電源の開発を可能にする技術的進歩と並行して、携帯通信ユニットの装着に適した小型アンテナが既に提案されている。
【０００３】
例として，欧州特許第０  １８６  ８０４号は、ケースおよびケースに付随したリストバンドを含む腕時計を開示している。ケースは、集積回路を準備する電子回路および表示装置を含み、クリスタルによって塞がれている。リストバンドは、柔軟性のある可塑性材料で形成された２つのストリップ、これら２つのストリップの間に配置されるアンテナを形成する導体を含む。ストリップの１つは、リストバンドをケース上にヒンジで取り付けるために使われる棒を受け入れるために、横孔が作られている凸形の厚い帯域を含む。
類似する方法において，米国特許第４、７５４、２８５号は、手首に装着する機器のリストバンドを通って巻かれるアンテナを開示している。
欧州特許第０  ３３９  ４８２号において開示された腕時計は、リストバンドには組み込まれず、時計ケースの周りに巻かれるアンテナを提案している。
【０００４】
【発明が解決しようとする課題】
前述の全ての例においてアンテナは、機器を携帯する者の手首のすぐ近くに配置されたり、何らかの方法で肌と接触している。結果として、利用できる無線周波信号は、電話装置に達する有用な信号の振幅を減少させる、手首に代表される質量に一部吸収される。従ってこの装置は、強い信号帯域に位置する場合にのみ正確に作動できることが理解されるが、そのことは、装置が安全かつ確実に作動できる地理的範囲を限定する。
【０００５】
【課題を解決するための手段】
上記の欠点を克服し、最終的には無線周波装置により送受信される信号の振幅を増加させるために、本発明の腕時計は、少なくとも部分的にリストバンドに沿って延び、リストバンドと一体になる第１の位置と、リストバンドから動いて離され、リストバンドの装着時にリストバンドにより画定される円を包含する平面に直立して立つ第２の位置の少なくとも２つの位置に配置することができる、一方の端部がリストバンドまたは時計ケースに取り付けられた、舌状部材に腕時計のアンテナが組み込まれることを特徴とする。
本発明の好ましい実施形態において，舌状部材の端部は、時計ケースのリストバンドの原点の上方に位置する接合部によってケースに取り付けられる。
本発明の形態および利点は、添付図を参照し、非限定的説明によって本発明の有利な実施形態を準備する以下の記述により明らかになるであろう。
【０００６】
【発明の実施の形態】
図１は、本発明による腕時計１を示す透視図である。時計は、ケース２およびリストバンド６から形成される。本発明の好ましい代替形態において、ケース２とリストバンド６は、半硬質可塑性材料で一体形に作られる。時計機能に必要な構成部品の他に、ケースは、無線放送メッセージを送受信可能な電話装置３を備えている。図１では見ることができない電話装置３は、図４に概略図で示されている。ケースはまた、電話機能に不可欠な他の部材を収容しているが、ここでは表示していない。欧州特許第０  ８９９  ６３５号に、時計ケースにスピーカおよびマイクを内蔵する方法を見出すことができる。また、他の数多くの資料で前記ケースの中にキーボードを一体化する方法について説明している。無線放送メッセージはアンテナ４により送受信される。このアンテナは本発明の主要対象を構成するので以下で詳細に説明される。
【０００７】
図１、図２、図３から分かるように、アンテナ４は、舌状部材５に組み込まれる。アンテナ４は、舌状部材５を形成する２つの部材３５および３６の間に挟まれた薄膜または金属箔である。部材３６は、例えばポリイミド可塑性材料で形成された部材３５の下に接合されたカプトン（登録商標）薄膜であってもよい。
【０００８】
これらの図はまた、舌状部材５の一方の端部７がリストバンド６の起点場所の上方でケース２に取り付けられることを示している。代わりの実施形態においては、舌状部材は、リストバンド６に直接取り付けられることがもちろんできるであろう。このように設計および装着されることにより、舌状部材５が少なくとも２つの位置に配置できることが理解されるであろう。第１の配置は図３に示され、舌状部材５が少なくとも部分的にリストバンドに沿って延び、リストバンドと一体になる。「一体になる」とは、舌状部材５とリストバンド・ストランドがそれぞれの向き合った面が互に接触することを意味する。第２の配置は図１および図２に示され、舌状部材５がリストバンド６から離れており，装着時にリストバンドにより形成される円を包含する平面内で立っている。
【０００９】
舌状部材がケースまたはリストバンドに取り付けられる方法、特にリストバンドに装着される場所は、様々に想定することができる。ここで各図に示される装着の好ましい方法以外に、例えば半硬質可塑性薄膜を使用する装着や、２つのリストバンド・ストランドに取り付けられる留め金とケースとの例えば中間に位置される装着を考えてもよい。
【００１０】
しかしながら，各図に示される本発明の好ましい実施形態において、舌状部材５の端部７は、ケース２のリストバンドの起点場所８の上方に位置する接合部によりケース２に固定されていることが分かるであろう。この場所８は、図１に示すような正午の位置、または６時の位置が可能である。
【００１１】
より詳細には各図は、接合部がリストバンドをケースに取り付けるのに使われる機能に類似する機能を持つ棒９を備えていることを示す。この目的のために図４に明確に示すように、ケース２、または、より正確にはケース２のリストバンド６の起点場所８は、各々１０、１１、１２、１３で参照される孔が貫通している４つのホーン１７、１８、１９、２０を備えている。一方相手側として舌状部材５の端部７は、各々１４、１５、１６で参照される孔が貫通している３つのヒンジ２１、２２、２３を持つ。ヒンジをホーンの間に差し込むと、双方が持つ全ての孔が一列に揃えられ、接合部を形成するために棒９を差し込むことが可能になる。ここで特定の接合部は、単一のヒンジと協働する２つのホーンのみを持つことができるであろうことに留意されたい。
【００１２】
図４は、電話装置３およびアンテナ４を内臓する舌状部材５を収容するケース２を示す。舌状部材５は、リストバンドの起点場所８において棒９を使ってケース２にヒンジで取り付けられる。従って電話装置３は、上記のように、接合部を通ってアンテナ４に接続される。これを行うために、電話装置３は、４２において接続された第１のストリップ２４を用いてアンテナ４に接続され、かつその装置と第２のストリップ２５とがアンテナに４１で接続される。図４は、棒９を収容する軸２６に直角な平面内で、ストリップ２４および２５が互いに向き合っていることを示す。これを行うためにストリップ２５の一部が、他方のストリップ２４と向かい合うために、図４の平面に対し直角に曲げられる。従ってストリップ２４および２５は、回転接触の状態にあり、互いを回転させてアンテナ４と電話装置３の間の接続を確実にする。
【００１３】
より具体的には、図４は、第１ストリップ２４がケース２のホーン１９に沿って延び、第２ストリップ２５の曲がった部分がホーン１９がヒンジ２２に対して回転する場所で舌状部材５のヒンジ２２に沿って延びていることを示す。２つのストリップ間の弾力的な接触を確実にするために、図４は、ホーン１９の、ストリップ２４の裏に位置する箇所に凹部４０が形成され、それによりストリップ２５とストリップ２４との間の良好な回転接触を確実にしている。ストリップ２４は、弾力的な材料から作られている。ケース２の内側から外側に至るストリップ２４のための密封された通路を確保するために、図４の参照番号４３で表示されるように、このストリップは、ケース材料にオーバーモールドされるか、または、このケースに接着される。
【００１４】
図４は、ケース２から出てきてケースのホーン１８に沿って延びる別のストリップ４４を示す。このストリップ４４は、４５において電話装置３の接地に接続される。このストリップは、舌状部材５がケース２に取り付けられる前に、電話装置３が正確に作動していることを点検するために使われる。
【００１５】
ここで図２、図３、図４を参照すると、接合部は、舌状部材５が第１または第２の位置に保持されることができるように留め金固定装置が準備されていることを確認することができる。舌状部材５をそれがリストバンド６と一体になっている第１の位置に保持するために、図３および図４は、ストリップ２４がヒンジ２２に作られた切欠２９で保持される隆起２７が与えられていることを示す。舌状部材５をそれがリストバンド上方で直立して立っている第２の位置に保持するために、隆起２７は、ヒンジ２２に作られる別の切欠２８と協働する（図２を参照されたい）。
【００１６】
舌状部材がリストバンドと一体になっている位置にある時、舌状部材５が正確にリストバンド６に当たっていることを確実にしたい場合は、図２のみに示されるように、リストバンド６に配置された凹部３１と協働するように舌状部材５に対して配置された植込ボルト３０を準備してもよい。
【００１７】
上記で説明されたように、アンテナ４を備えている舌状部材５は、装着者の身体への影響を減少させるために第２の位置に直立して立っており、それにより、アンテナで受信する無線周波信号の強さを増大する。したがって、舌状部材の直立位置は、電話装置が全電力供給を得られる電話装置３のいわゆる通信状態に相当している。逆に，舌状部材の曲げられた位置は、装置３に入ってくるメッセージを聞くだけに保つのにちょうど十分である低減された電力を供給されている装置３のいわゆる待機状態に相当してもよい。待機状態から通信状態に回路を切り替えるために、舌状部材５に組み込まれる部材３２の近接を検知する装置３３（図１を参照されたい）をリストバンド６に設けてもよい。装置３３にホール・プローブ、そして部材３２に磁石を用いることが可能であろう。
【００１８】
上記説明を図解する４つの図は、舌状部材５が、それがリストバンドと一体になっている第１の位置にある時、リストバンド６の上に重なるように配置されることを示す。この目的のためにリストバンドは、図２および図３の断面図で示すように、重なる位置において舌状部材５の厚さと実質的に同等な量だけ薄くされた厚さを持つ。しかしながら、本発明は重ね合わせに限定されず、並置も可能であろう。すなわち舌状部材５は、リストバンドと同じ厚さになってリストバンドのそばに配置されるであろうが、最も重要な点は、舌状部材が第１の位置においては少なくとも部分的にリストバンドと並んで延び、第２の位置においては上方に動いてリストバンドから離されるということである。
【図面の簡単な説明】
【図１】本発明による、アンテナを内蔵した舌状部材を装着した腕時計の透視図である。
【図２】舌状部材がリストバンド上で直立した状態を示す、図１に図解された時計の断面図である。
【図３】舌状部材がリストバンドと一体になった状態を示す、図１に図解された時計の断面図である。
【図４】舌状部材の接合部と共に、時計ケース内部に位置する電子装置のアンテナを接続する接続部を示す平面図である。
【符号の説明】
１  腕時計
３  電話装置
４  アンテナ
５  舌状部材
７  舌状部材の一方の端部
【図１】
0004813653.tif 000002
【図２】
0004813653.tif 000003
【図３】
0004813653.tif 000004
【図４】
0004813653.tif 000005